(57)【要約】【課題】決算センターから遊技店の口座に振り込まれる金銭の額を遊技店で常時把握することが可能な遊技媒体貸出システム、遊技媒体貸出方法、カード発行機、及び遊技媒体貸出機を提供する。【解決手段】デビットカードによる入金や販売に関する情報を管理する管理装置を遊技店に設け、デビット決済によって遊技客の口座から引き落としされる金銭の額や、入金額、販売した一般カードの券種などからなる販売情報を管理装置のデータベースに記録し、引き落とし額や入金額などの管理を決算センターのみならず遊技店側でも行う。  【選択図】  図１
2007041779.tif 000002
【特許請求の範囲】
【請求項１】
貨幣又は有価価値に関連する情報が記憶された遊技用記憶媒体を受け入れ、該貨幣の額又は該記録媒体に関連する有価価値に応じて遊技媒体を貸し出す遊技媒体貸出機と、前記遊技媒体を用いて遊技動作を行う遊技機とを有する遊技システムにおいて、
デビットカードのカード情報を読み取り、デビットカード利用時の決済代行を担う情報処理センタを介して、当該カード情報に対応した口座から指定金額を引き落とす処理を含む決済処理を行う決済処理端末と、
前記決済処理端末と接続され、前記決済処理の完了後、該決済金額に応じた有価価値を持つ前記遊技用記憶媒体を発行する記憶媒体発行機と、
前記遊技媒体貸出機、前記遊技機、前記決済処理端末、前記記録媒体発行機と通信可能に接続され、前記遊技用記憶媒体に関する発行情報を管理する管理装置と
を具備し、
前記管理装置は、
デビット決済にかかわる設定を行う設定手段と、
前記設定手段により設定された情報を記憶する記憶手段と、
前記記憶手段に記憶された情報を元に前記設定手段にもとづいてデビット決済にかかわる情報を算出する算出手段と
を具備することを特徴とする遊技場管理システム。
【請求項２】
貨幣又は有価価値に関連する情報が記憶された遊技用記憶媒体を受け入れ、該貨幣の額又は該記録媒体に関連する有価価値に応じて遊技媒体を貸し出す遊技媒体貸出機と、前記遊技媒体を用いて遊技動作を行う遊技機とを有する遊技システムにおいて、
デビットカードのカード情報を読み取り、デビットカード利用時の決済代行を担う情報処理センタを介して、当該カード情報に対応した口座から指定金額を引き落とす処理を含む決済処理を行う決済処理部を有し、前記決済処理の完了後、該決済金額に応じた有価価値を持つ前記遊技用記憶媒体を発行する記憶媒体発行機と、
前記遊技媒体貸出機、前記遊技機、前記記録媒体発行機と通信可能に接続され、前記遊技用記憶媒体に関する発行情報を管理する管理装置と
を具備し、
前記管理装置は、
デビット決済にかかわる設定を行う設定手段と、
前記設定手段により設定された情報を記憶する記憶手段と、
前記記憶手段に記憶された情報を元に前記設定手段にもとづいてデビット決済にかかわる情報を算出する算出手段と
を具備することを特徴とする遊技場管理システム。
【請求項３】
貨幣を受け入れ、該貨幣の額に応じて遊技媒体を貸し出す遊技媒体貸出機と、前記遊技媒体を用いて遊技動作を行う遊技機と、前記遊技媒体貸出機、前記遊技機と通信可能に接続され、前記遊技用記憶媒体の貸出に関する情報を管理する管理装置とを有する遊技システムにおいて、
前記遊技媒体貸出機は、デビットカードのカード情報を読み取り、デビットカード利用時の決済代行を担う情報処理センタを介して、当該カード情報に対応した口座から指定金額を引き落とす処理を含む決済処理を行う決済処理部を具備し、
前記管理装置は、
デビット決済にかかわる設定を行う設定手段と、
前記設定手段により設定された情報を記憶する記憶手段と、
前記記憶手段に記憶された情報を元に前記設定手段にもとづいてデビット決済にかかわる情報を算出する算出手段と
を具備することを特徴とする遊技場管理システム。
【請求項４】
前記設定手段は、
デビット手数料を算出できる情報を設定でき、
前記算出手段は、
デビット概算手数料を算出する
ことを特徴とする請求項１乃至３記載の遊技場管理システム。
【請求項５】
前記管理装置は、
前記算出手段により算出された情報を目視可能に出力する出力部を具備することを特徴とする請求項１乃至４記載の遊技場管理システム。
【請求項６】
前記管理装置は、
デビット決済に関わる情報を任意に検索できる検索手段と、
デビット決済に関わる情報を集計できる集計手段と
を具備し、
前記検索手段、前記集計手段によって得られた結果を前記表示部に表示する
ことを特徴とする請求項５記載の遊技場管理システム。
【請求項７】
貨幣又は有価価値に関連する情報が記憶された遊技用記憶媒体を受け入れ、該貨幣の額又は該記録媒体に関連する有価価値に応じて遊技媒体を貸し出す遊技媒体貸出機と、前記遊技媒体を用いて遊技動作を行う遊技機とを有する遊技システムにおいて、
デビットカードのカード情報を読み取り、デビットカード利用時の決済代行を担う情報処理センタを介して、当該カード情報に対応した口座から指定金額を引き落とす処理を含む決済処理を行う決済処理端末と、
前記決済処理端末と接続され、前記決済処理の完了後、該決済金額に応じた有価価値を持つ前記遊技用記憶媒体を発行する記憶媒体発行機と、
前記遊技媒体貸出機、前記遊技機、前記決済処理端末、前記記録媒体発行機と通信可能に接続され、前記遊技用記憶媒体に関する発行情報を管理する管理装置と
を備え、
デビット決済にかかわる設定を前記管理装置の設定手段で行い、
前記設定手段により設定された情報を前記管理装置の記憶手段に記憶し、
前記記憶手段に記憶された情報を元に前記設定手段にもとづいてデビット決済にかかわる情報を前記管理装置の算出手段で算出する
ことを特徴とする遊技場管理方法。
【請求項８】
会員カードへの入金や一般カードの販売を行うカード発行機において、
デビットカードによる決済を行うデビット決済部と、
前記会員カードへの入金や一般カードの販売に関する販売情報を管理する管理装置に前記デビット決済による前記会員カードへの入金や一般カードの販売に関する販売情報を送信する手段と
を具備することを特徴とするカード発行機。
【請求項９】
遊技媒体の貸し出しを行う遊技媒体貸出機において、
デビットカードによるデビット決済を行うデビット決済部と、
前記デビット決済による入金に関する販売情報を管理する管理装置に前記デビット決済による前記入金に関する販売情報を送信する手段と
を具備する
ことを特徴とする遊技媒体貸出機。
【発明の詳細な説明】
【技術分野】
【０００１】
本発明は、遊技媒体貸出システム、遊技媒体貸出方法、カード発行機、及び遊技媒体貸出機に関し、特に、デビット決済システムを利用する遊技媒体貸出システム、遊技媒体貸出方法、カード発行機、及び遊技媒体貸出機に関する。
【背景技術】
【０００２】
遊技店では、パチンコ台やパチスロ機などの遊技台の間にメダルやパチンコ玉などの遊技媒体を貸し出す遊技媒体貸出機を設け、遊技客にプリペイドカードなどの一般カードや、金銭的価値を関連付けることができる会員カードを発行すると共に、遊技媒体貸出機でこれらのカードを受け付けて遊技媒体の貸し出しを行っている。
【０００３】
一般カードの購入や会員カードへの金銭的価値の関連付け（入金）は、一般カードの発行や会員カードへの入金を行うカード発行機に現金を投入することにより行われ、また、銀行のキャッシュカード（デビットカード）による決済システム（デビット決済システム）を利用した一般カードの販売や会員カードへの入金を行うシステムも提案されている（例えば、特許文献１参照）。
【０００４】
このデビット決済システムでは、まず、デビットカードを用いて遊技客が遊技店で支払いを行うと、支払った額の金銭を所定の口座から引き落とすための決済情報が即時に遊技店から決済センターに送信される。
【０００５】
そして、決済情報を受信した決済センターは、この決済情報に基づいて即座に遊技客の口座から自ら（決済センター）の口座に金銭を引き落とし、デビット決済の処理を行った後、デビット決済処理の手数料を引いた額の金銭を遊技店の口座に定期的に振り込むことにより、遊技客の口座から引き落とされた料金が遊技店に支払われる。
【特許文献１】特開２００３−１４４７３７号公報
【発明の開示】
【発明が解決しようとする課題】
【０００６】
しかし、一般カードの販売及び会員カードへの入金を含めたデビット決済は、全て決済センターで管理され、その後、遊技店の口座に金銭が振り込まれるため、決済センターからの振り込みが行われるか、この振り込み額などが記載された明細書の発行が行われるまで、正確な振り込み額を遊技店で把握することが困難であった。
【０００７】
さらに、振り込み手数料は、遊技客若しくは遊技店が全額負担する方法、遊技客及び遊技店の双方がそれぞれ負担する場合もあり、仮に購入金額を１００００円、手数料を１５０円とすると、
・遊技客からデビット決済の利用料を徴収する（遊技客が手数料全額負担）場合
遊技客の支払い金額：１０１５０円、遊技店への振り込み金額：１００００円
・遊技客からデビット決済の利用料を徴収しない（遊技店が手数料全額負担）場合
遊技客の支払い金額：１００００円、遊技店への振り込み金額：  ９８５０円
・遊技客からデビット決済の利用料を１００円徴収する（双方が手数料一部負担）場合
遊技客の支払い金額：１０１００円、遊技店への振り込み金額：  ９９５０円
となる。
【０００８】
このため、一般カード（プリペイドカード）の購入と会員カードへの入金とで手数料の負担割合が異なる場合など、条件に応じて遊技客の支払い額が変化する場合は、遊技店で正確な振り込み額を把握することがより困難となっていた。
【０００９】
そこで、本発明では、決算センターから遊技店の口座に振り込まれる金銭の額を遊技店で常時把握することが可能な遊技媒体貸出システム、遊技媒体貸出方法、カード発行機、及び遊技媒体貸出機を提供することを目的とする。
【課題を解決するための手段】
【００１０】
本発明における遊技場管理システムでは、貨幣又は有価価値に関連する情報が記憶された遊技用記憶媒体を受け入れ、該貨幣の額又は該記録媒体に関連する有価価値に応じて遊技媒体を貸し出す遊技媒体貸出機と、前記遊技媒体を用いて遊技動作を行う遊技機とを有する遊技システムにおいて、デビットカードのカード情報を読み取り、デビットカード利用時の決済代行を担う情報処理センタを介して、当該カード情報に対応した口座から指定金額を引き落とす処理を含む決済処理を行う決済処理端末と、前記決済処理端末と接続され、前記決済処理の完了後、該決済金額に応じた有価価値を持つ前記遊技用記憶媒体を発行する記憶媒体発行機と、前記遊技媒体貸出機、前記遊技機、前記決済処理端末、前記記録媒体発行機と通信可能に接続され、前記遊技用記憶媒体に関する発行情報を管理する管理装置とを具備し、前記管理装置は、デビット決済にかかわる設定を行う設定手段と、前記設定手段により設定された情報を記憶する記憶手段と、前記記憶手段に記憶された情報を元に前記設定手段にもとづいてデビット決済にかかわる情報を算出する算出手段とを具備する。
【００１１】
また、  本発明における遊技場管理システムでは、貨幣又は有価価値に関連する情報が記憶された遊技用記憶媒体を受け入れ、該貨幣の額又は該記録媒体に関連する有価価値に応じて遊技媒体を貸し出す遊技媒体貸出機と、前記遊技媒体を用いて遊技動作を行う遊技機とを有する遊技システムにおいて、デビットカードのカード情報を読み取り、デビットカード利用時の決済代行を担う情報処理センタを介して、当該カード情報に対応した口座から指定金額を引き落とす処理を含む決済処理を行う決済処理部を有し、前記決済処理の完了後、該決済金額に応じた有価価値を持つ前記遊技用記憶媒体を発行する記憶媒体発行機と、前記遊技媒体貸出機、前記遊技機、前記記録媒体発行機と通信可能に接続され、前記遊技用記憶媒体に関する発行情報を管理する管理装置とを具備し、前記管理装置は、デビット決済にかかわる設定を行う設定手段と、前記設定手段により設定された情報を記憶する記憶手段と、前記記憶手段に記憶された情報を元に前記設定手段にもとづいてデビット決済にかかわる情報を算出する算出手段とを具備する。
【００１２】
また、本発明における遊技場管理システムでは、貨幣を受け入れ、該貨幣の額に応じて遊技媒体を貸し出す遊技媒体貸出機と、前記遊技媒体を用いて遊技動作を行う遊技機と、前記遊技媒体貸出機、前記遊技機と通信可能に接続され、前記遊技用記憶媒体の貸出に関する情報を管理する管理装置とを有する遊技システムにおいて、前記遊技媒体貸出機は、デビットカードのカード情報を読み取り、デビットカード利用時の決済代行を担う情報処理センタを介して、当該カード情報に対応した口座から指定金額を引き落とす処理を含む決済処理を行う決済処理部を具備し、前記管理装置は、デビット決済にかかわる設定を行う設定手段と、前記設定手段により設定された情報を記憶する記憶手段と、前記記憶手段に記憶された情報を元に前記設定手段にもとづいてデビット決済にかかわる情報を算出する算出手段とを具備する。
【００１３】
そして、前記設定手段は、デビット手数料を算出できる情報を設定でき、前記算出手段は、デビット概算手数料を算出する。
【００１４】
加えて、前記管理装置は、前記算出手段により算出された情報を目視可能に出力する出力部を具備する。
【００１５】
さらに、前記管理装置は、デビット決済に関わる情報を任意に検索できる検索手段と、デビット決済に関わる情報を集計できる集計手段とを具備し、前記検索手段、前記集計手段によって得られた結果を前記表示部に表示する。
【００１６】
次に、本発明における遊技場管理方法では、貨幣又は有価価値に関連する情報が記憶された遊技用記憶媒体を受け入れ、該貨幣の額又は該記録媒体に関連する有価価値に応じて遊技媒体を貸し出す遊技媒体貸出機と、前記遊技媒体を用いて遊技動作を行う遊技機とを有する遊技システムにおいて、デビットカードのカード情報を読み取り、デビットカード利用時の決済代行を担う情報処理センタを介して、当該カード情報に対応した口座から指定金額を引き落とす処理を含む決済処理を行う決済処理端末と、前記決済処理端末と接続され、前記決済処理の完了後、該決済金額に応じた有価価値を持つ前記遊技用記憶媒体を発行する記憶媒体発行機と、前記遊技媒体貸出機、前記遊技機、前記決済処理端末、前記記録媒体発行機と通信可能に接続され、前記遊技用記憶媒体に関する発行情報を管理する管理装置とを備え、デビット決済にかかわる設定を前記管理装置の設定手段で行い、前記設定手段により設定された情報を前記管理装置の記憶手段に記憶し、前記記憶手段に記憶された情報を元に前記設定手段にもとづいてデビット決済にかかわる情報を前記管理装置の算出手段で算出する。
【００１７】
本発明では、会員カードへの入金や一般カードの販売を行うカード発行機において、デビットカードによる決済を行うデビット決済部と、前記会員カードへの入金や一般カードの販売に関する販売情報を管理する管理装置に前記デビット決済による前記会員カードへの入金や一般カードの販売に関する販売情報を送信する手段とを具備する。
【００１８】
本発明では、遊技媒体の貸し出しを行う遊技媒体貸出機において、デビットカードによるデビット決済を行うデビット決済部と、前記デビット決済による入金に関する販売情報を管理する管理装置に前記デビット決済による前記入金に関する販売情報を送信する手段とを具備する。
【発明の効果】
【００１９】
本発明では、デビットカードによる決済に伴う手数料を遊技店内で算出することが可能となり、デビット利用による決済センターからの決済情報がなくとも、リアルタイム、或いは日毎での遊技店の粗利益を把握することができる。
【発明を実施するための最良の形態】
【００２０】
以下、本発明に係る遊技媒体貸出システム、遊技媒体貸出方法、カード発行機、及び遊技媒体貸出機を実施するための最良の形態について、添付図面を参照して詳細に説明する。
【実施例１】
【００２１】
図１は、本発明における遊技媒体貸出システムの構成の一例を示す概略構成図である。同図に示すように、本発明における遊技媒体貸出システムでは、遊技店１内にカード発行機１０と、カード精算機２０と、ターミナルコントローラ(Ｔ／Ｃ)３０と、ルータ４０と、遊技媒体貸出機５０と、遊技機６０と、島コントローラ７０とを設け、電話網などの公衆回線網２を介して、デビットカードによる決済を管理する決済センター３、及び一般カードや会員カードの管理を行う中央管理装置４と接続している。
【００２２】
ここで、図２は、カード発行機１０の構成の一例を示す概略ブロック図である。同図に示すように、カード発行機１０には、デビット決済部８０と、一般／会員カード処理部１１と、発行機制御部１２と、記憶部１３と、表示・入力部１４と、印字部１５と、インターフェイス(Ｉ／Ｆ)１６と、一般／会員カード挿入・排出口１７と、レシート発行口１８とが設けられている。
【００２３】
また、デビット決済部８０には、デビットカード処理部８１と、デビット制御部８２と、暗証情報入力部（テンキー）８３と、デビットカード挿入・排出口８４とが設けられている。
【００２４】
ここで、デビットカード処理部８１は、デビットカード挿入・排出口８４から挿入されたデビットカード９０を受け付け、デビットカードによる決済（デビット決済）に必要な情報を取得する。
【００２５】
デビット制御部８２は、デビット決済部８０全体の制御を行なうと共に、デビット決済に必要な処理を行う。
【００２６】
暗証情報入力部８３は、デビット決済に必要なパスワードなどの暗証情報の入力を受け付ける。
【００２７】
そして、デビット決済部８０は、デビットカード及び暗証情報を受け付け、一般カードの購入や会員カードの入金による支払い金額に関する情報と共に、デビット決済に必要な決済情報を決済センターに送信することにより、当該デビットカードによるデビット決済を行う。
【００２８】
なお、本実施例では、カード発行機内にデビット決済部を設けているが、デビット決済部を内蔵したデビット決済端末をカード発行機とは別体で設けてもよい。
【００２９】
一般／会員カード処理部１１は、遊技客に販売する一般カード９１を一般／会員カード挿入・排出口１７から排出し、また、会員カード９２が一般／会員カード挿入・排出口１７に挿入されると、当該会員カード９２からカードＩＤなどの識別子を取得し、入金に必要な処理が終了すると、当該会員カード９２を排出する。
【００３０】
発行機制御部１２は、カード発行機１０全体の制御を行い、また、デビット決済による販売情報（一般カードの券種又は会員カードへの入金額、及び遊技客の支払い額）及び一般カードや会員カードの管理に必要な情報をＴ／Ｃに送信するための処理を行う。
【００３１】
記憶部１３は、カード発行機１０を制御するために必要なプログラムや情報を記憶する。
【００３２】
出力部１９は、表示・入力部１４と印字部１５とからなり、遊技客によるカード発行機の操作を受け付け、利用控え（レシート）を発行する。
【００３３】
表示・入力部１４は、タッチパネルなどからなり、ＵＩ(user interface)を表示すると共に、遊技客の操作を受け付ける。
【００３４】
印字部１５は、デビット決済による取り引き結果を記したレシート９３をレシート発行口１８から発行する。
【００３５】
インターフェイス(Ｉ／Ｆ)１６は、カード発行機１０をルータ４０及びＴ／Ｃ３０と接続する。
【００３６】
上記構成を用いて、カード発行機１０では、販売する一般カードの券種や会員カードへの入金額、及びデビット決済の利用に伴う利用料を表示・入力部に表示し、デビット決済による販売や入金が行われると、当該デビット決済に関する決済情報を決済センターに送信すると共に、デビット決済による販売情報、及び一般カードや会員カードの管理に必要な情報をＴ／Ｃに送信する。
【００３７】
カード精算機２０は、一般カードや会員カードの挿入を受け付け、受け付けたカードが有する金銭的価値を現金で払い戻すと共に、一般カードの場合は当該カードの回収を行い、会員カードの場合は当該カードを排出して遊技客に返却する。また、一般カードや会員カードの管理に必要な情報、及び払い戻しに関する情報をＴ／Ｃに送信する。
【００３８】
図３は、本実施例におけるＴ／Ｃ３０の構成を示す機能ブロック図である。同図に示すようにＴ／Ｃ３０には、ルータ３１と、Ｉ／Ｆ３２と、一般カードや会員カードに関する情報を管理するカード情報管理装置３３と、サーバ１００と、ＰＣ(personal computer)などの情報処理装置である分析クライアント１１０とが設けられている。
【００３９】
また、サーバ１００には、カード発行機１０からのデータを収集して手数料を算出する手数料算出部１０１と、手数料算出部で収集・算出したデータ及び手数料を記憶するデータベース１０２が設けられている。
【００４０】
分析クライアント１１０には、特定のデータをデータベース１０２から検索する蓄積データ参照処理部１１１と、蓄積データ参照処理部１１１における検索結果を表示する表示部１１２が設けられている。
【００４１】
そして、Ｔ／Ｃ３０は、カード発行機１０やカード精算機２０などから受信した販売情報をサーバ１００のデータベース１０２に登録して管理すると共に、分析クライアント１１０を遊技店の店員が操作することにより、取引の情報（取引データ）や締め上げデータなど、特定のデータをデータベース１０２から検索し、検索結果を分析クライアントの表示部（モニタ）１１２に表示する。
【００４２】
また、カード発行機１０やカード精算機２０、島コントローラ７０などから受信した、一般カードや会員カードの管理に必要な情報を公衆回線網２を介して中央管理装置４に送信する。
【００４３】
図４は、デビット決済時の手数料及び利用料を算出するための条件の設定例を示す図である。同図において、まず、手数料は、カード発行額（入金額）の一定の割合（１.５％）であって、上限値（１８０円）を超える場合や、下限値（８０円）に達しない場合は、それぞれ上限値又は下限値を手数料とするように設定されている。また、利用料は、カードの種類（一般カード、会員カード）で異なり、さらに、カード発行額（入金額）に応じても異なるように設定されている。
【００４４】
なお、本設定例は、デビット決済時の手数料や利用料を算出する一例であり、例えば、手数料をカード発行額に関係なく一律の金額としたり、会員カードの場合は利用料をカード発行額に関係なく無料としてもよく、さらには、カード発行時と入金時とで料金を異ならせるなど、任意に設定することができる。
【００４５】
図５は、取引データの検索結果を分析クライアントに表示する際の一例を示す図である。同図に示すように取引データの検索結果は、データベースに記録されている販売情報に基づいてデビット手数料が算出され、一般カードの販売や会員カードへの入金といった取引毎にデビット手数料を含めた取引内容が表示される。
【００４６】
図６は、締め上げデータの検索結果を分析クライアントに表示する際の一例を示す図である。同図に示すように締め上げデータの検索結果は、データベースに記録されている販売情報に基づいてデビット手数料が算出され、一般カードや会員カードの取引データ、及びデビット手数料が各カード種別毎、及び取引全体でまとめて表示される。
【００４７】
遊技媒体貸出機５０は、一般カードや会員カードに関連付けられている金銭的価値を減算し、パチンコ玉やメダルなどの遊技媒体の貸し出しを行う。
【００４８】
島コントローラ７０は、遊技媒体貸出機５０とパチンコ台やパチスロ機などの遊技機６０とが複数設けられた複数の領域に遊技店内を分割したいわゆる島毎に設けられ、当該島に設置されている遊技媒体貸出機５０とＴ／Ｃ３０とを接続する。
【００４９】
本発明にかかる遊技媒体貸出システムでは、デビット決済による一般カードの販売や会員カードへの入金をカード発行機で受け付け、デビット決済に必要な決済情報をカード発行機から決済センターに送信してデビット決済を行い、また、販売した一般カードの券種や会員カードの入金額、遊技客の支払い額などの販売情報をカード発行機からＴ／Ｃに送信し、当該販売情報をＴ／Ｃに登録して管理を行う。
【００５０】
図７は、デビット決済によって一般カードの販売や会員カードへの入金を行う際の遊技媒体貸出システムにおける処理の流れを示すフローチャートである。
【００５１】
まず、一般カードの購入又は会員カードへの入金を選択するＵＩをカード発行機の表示・入力部に表示し（ステップ１００）、会員カードへの入金が選択される（ステップ１０１でＹＥＳ）と、会員カード及びデビットカードの挿入を受け付け（ステップ１０２）、暗証番号の入力を要求する（ステップ１０３）。
【００５２】
そして、暗証番号が入力される（ステップ１０４）と、入金金額の入力を受け付けるためのＵＩを表示し（ステップ１０５）、入金金額が入力される（ステップ１０６）と、デビット決済の利用料及び口座からの引き落とし金額を表示・入力部に表示する（ステップ１０７）。
【００５３】
ここで、当該金額の引き落としが拒否される（「拒否」の意をＵＩの示す操作が行われる）（ステップ１０８でＮＯ）と、再び入金金額の入力を受け付けるためのＵＩを表示する（ステップ１０５）。
【００５４】
また、当該金額の引き落としが了承される（「了承」の意をＵＩの示す操作が行われる）（ステップ１０８でＹＥＳ）と、デビットカードの決済に必要な決済情報を決済センターに送信する（ステップ１０９）。
【００５５】
そして、デビット決済が成立しない（ステップ１１０でＮＯ）と、デビット決済に失敗した旨を表示・入力部に表示し、会員カード及びデビットカードを排出して遊技客に返却する（ステップ１１１）。
【００５６】
一方、デビット決済が成立する（ステップ１１０でＹＥＳ）と、会員カードに金銭的価値を関連付けて入金を行うための処理をＴ／Ｃで行い（ステップ１１２）、また、会員カードの識別子と販売情報をＴ／Ｃのデータベースに登録し（ステップ１１３）、会員カード及びデビットカードを排出して遊技客に返却する（ステップ１１１）。
【００５７】
ところで、ステップ１０１において、一般カードの購入が選択される（ステップ１０１でＮＯ）と、デビットカードの挿入を受け付け（ステップ１１４）、暗証番号の入力を要求する（ステップ１１５）。
【００５８】
そして、暗証番号が入力される（ステップ１１６）と、購入する一般カードの券種（１００００円券、５０００円券、１０００円券など）を選択するためのＵＩを表示し（ステップ１１７）、券種が選択される（ステップ１１８）と、デビット決済の利用料及び口座からの引き落とし金額を表示・入力部に表示する（ステップ１１９）。
【００５９】
ここで、当該金額の引き落としが拒否される（ステップ１２０でＮＯ）と、再び一般カードの券種を選択するためのＵＩを表示する（ステップ１１７）。
【００６０】
また、当該金額の引き落としが了承される（ステップ１２０でＹＥＳ）と、デビットカードの決済に必要な決済情報を決済センターに送信する（ステップ１２１）。
【００６１】
そして、デビット決済が成立しない（ステップ１２２でＮＯ）と、デビット決済に失敗した旨を表示・入力部に表示し、デビットカードを排出して遊技客に返却する（ステップ１２３）。
【００６２】
一方、デビット決済が成立する（ステップ１２２でＹＥＳ）と、購入される一般カードの識別子と共に、販売情報をＴ／Ｃのデータベースに登録し（ステップ１２４）、当該一般カードを排出して発行すると共に、デビットカードを排出して遊技客に返却する（ステップ１２３）。
【００６３】
このように本実施例では、デビット決済によって販売した一般カードの券種や会員カードの入金額、遊技客の支払い額などの販売情報を遊技店で管理することが可能であり、決算センターから遊技店の口座に振り込まれる金銭の額を遊技店で常時把握することが可能となる。
【００６４】
本実施例では、カード発行機でデビット決済による一般カードの発行や会員カードへの入金を行っているが、デビット決済で遊技媒体貸出機に入金し、入金した金銭的価値を減算しながら遊技媒体の貸し出しを行ってもよく、実施例２を用いて詳細に説明する。
【実施例２】
【００６５】
図８は、本実施例における遊技媒体貸出機の構成の一例を示す機能ブロック図である。同図に示すように、遊技媒体貸出機５０には、デビット決済部８０と、一般／会員カード処理部５１と、カード収納部５２と、貸出機処理部５３と、記憶部５４と、出力部１９と、入力部５６と、Ｉ／Ｆ５７と、遊技台接続Ｉ／Ｆ５８とが設けられており、出力部１９には、表示部５５と印字部１５が設けられている。
【００６６】
なお、図１又は図２と共通な機能を果たす部分には、同図で使用した符号と同一の符号を付して、その詳細な説明を省略する。
【００６７】
デビット決済部８０は、デビットカード及び暗証情報を受け付け、遊技媒体貸出機に入金する金額に関する情報と共に、デビット決済に必要な決済情報を決済センターに送信することにより、当該デビットカードによるデビット決済を行う。
【００６８】
一般／会員カード処理部５１は、会員カード９２が一般／会員カード挿入・排出口１７に挿入されると、当該会員カード９２からカードＩＤなどの識別子を取得し、遊技媒体貸出機に入金された金銭的価値の払い戻しが請求されると、会員カードに残高を入金した後、当該会員カードを排出する。
【００６９】
また、会員カードが挿入されずに遊技媒体貸出機に入金された金銭的価値の払い戻しが請求されると、残高に応じた一般カードを排出する。
【００７０】
カード収納部５２は、一般／会員カード処理部５１から排出する一般カードを収納する。
【００７１】
貸出機制御部５３は、遊技媒体貸出機５０全体の制御を行い、また、デビット決済による販売情報（一般カードの券種又は会員カードへの入金額、及び遊技客の支払い額）及び一般カードや会員カードの管理に必要な情報をＴ／Ｃに送信するための処理を行う。
【００７２】
本実施例では、一般／会員カードとも、デビット処理を完了した後にカードを排出しているが、デビット処理終了後もカードを排出することなく、そのまま遊技媒体を借り受けて遊技を行うことができるように構成してもよい。
【００７３】
上記構成を用いて、カード発行機１０では、デビット決済による販売情報、及び一般カードや会員カードの管理に必要な情報をＴ／Ｃに送信する。
【００７４】
記憶部５４は、遊技媒体貸出機５０を制御するために必要なプログラムや情報を記憶する。
【００７５】
表示部５５は、ディスプレイなどの表示装置であり、遊技媒体貸出機５０の操作などに必要な情報を表示する。
【００７６】
入力部５６は、テンキーや操作キーなどの操作端末であり、遊技媒体貸出機５０の操作などに必要な情報の入力を受け付ける。
【００７７】
Ｉ／Ｆ５７は、遊技媒体貸出機５０をルータ４０及びＴ／Ｃ３０と接続する。
【００７８】
遊技台接続Ｉ／Ｆ５８は、遊技媒体を貸し出す遊技機６０と接続する。
【００７９】
上記構成を用いて、遊技媒体貸出機５０では、当該遊技媒体貸出機への入金額、及びデビット決済の利用に伴う利用料を表示部に表示し、デビット決済による入金が行われると、当該デビット決済に関する決済情報を決済センターに送信すると共に、デビット決済による入金額、及び遊技客の支払い額、会員カードがある場合は、当該カードの識別子を販売情報としてＴ／Ｃに送信し、入金された金銭的価値を減算しながら遊技媒体の貸し出しを行う。
【００８０】
そして、払い戻しが要求される（遊技が終了する）と、入金の残高を会員カードを受け付けている場合は、当該会員カードに入金することで払い戻しを行い、会員カードを受け付けていない場合は、残高に応じた一般カードを排出して払い戻しを行う。
【００８１】
図９は、デビット決済によって遊技媒体貸出機に入金する際の遊技媒体貸出システムにおける処理の流れを示すフローチャートである。
【００８２】
まず、デビットカードの挿入を受け付ける（ステップ２００）と、暗証番号の入力を要求し（ステップ２０１）、暗証番号が入力される（ステップ２０２）と、会員カードの挿入要求を表示する（ステップ２０３）。
【００８３】
そして、入金金額の入力を受け付け（ステップ２０４）、会員カードの有無に応じたデビット決済の利用料を入金金額に加算した口座からの引き落とし金額を表示部に表示する（ステップ２０５）。
【００８４】
ここで、当該金額の引き落としが拒否される（「拒否」の意を示す操作が行われる）（ステップ２０６でＮＯ）と、再び入金金額の入力を受け付ける（ステップ２０４）。
【００８５】
また、当該金額の引き落としが了承される（「了承」の意を示す操作が行われる）（ステップ２０６でＹＥＳ）と、デビットカードの決済に必要な決済情報を決済センターに送信する（ステップ２０７）。
【００８６】
そして、デビット決済が成立しない（ステップ２０８でＮＯ）と、デビット決済に失敗した旨を表示部に表示し、デビットカードを排出して遊技客に返却する（ステップ２０９）。
【００８７】
一方、デビット決済が成立する（ステップ２０８でＹＥＳ）と、会員カードを受け付けているか否かの判断を行い（ステップ２１０）、会員カードを受け付けていると判断する（ステップ２１０ＹＥＳ）と、会員カードの識別子及び販売情報（入金額及び支払い額）をＴ／Ｃのデータベースに登録し（ステップ２１１）、会員カードを受け付けていないと判断する（ステップ２１０ＮＯ）と、販売情報をＴ／Ｃのデータベースに登録する（ステップ２１２）。
【００８８】
そして、遊技媒体貸出機に金銭的価値を関連付けて入金を行うための処理をＴ／Ｃで行い（ステップ２１３）、デビットカードを排出して遊技客に返却する（ステップ２０９）。
【００８９】
なお、本実施例では、会員カードの有無に応じてデビットカード利用料を異ならせているが、利用料は会員カードの有無に関係無く一定でもよい。
【００９０】
また、手数料に変化を持たせない場合は、会員カードの挿入を要求せずに販売情報のみをＴ／Ｃのデータベースに登録してデビット決済の管理を行ってもよい。
【００９１】
さらに、入金額を固定し（例えば、一万円のみ）入金金額の入力を受け付けないように構成してもよい。
【００９２】
図１０は、遊技媒体貸出機に入金されている残高を払い戻す際の遊技媒体貸出システムにおける処理の流れを示すフローチャートである。
【００９３】
まず、残高の払い戻しが要求される（遊技の終了が指示される）（ステップ３００）と、会員カードを受け付けているか否かの判断を行い（ステップ３０１）、会員カードを受け付けていると判断する（ステップ３０１でＹＥＳ）と、残高の有無の判断を行う（ステップ３０２）。
【００９４】
そして、残高が無いと判断する（ステップ３０２でＮＯ）と、会員カードを排出し（ステップ３０３）、残高が有ると判断する（ステップ３０２でＹＥＳ）と、残高の金銭的価値をＴ／Ｃで会員カードに関連付け、会員カードに入金し（ステップ３０４）し、その後、会員カードを排出する（ステップ３０３）。
【００９５】
一方、ステップ３０１で会員カードを受け付けていないと判断する（ステップ３０１でＮＯ）と、残高の有無の判断を行い（ステップ３０５）、残高が無いと判断する（ステップ３０５でＮＯ）と処理を終了し、残高が有ると判断する（ステップ３０５でＹＥＳ）と、残高に応じた一般カードを排出する（ステップ３０６）。
【００９６】
なお、本実施例では、遊技媒体貸出機への入金時に会員カードの挿入を受け付けているが、会員カードの有無に応じて手数料に変化が無い場合は、会員カードを返金時に要求してもよい。
【００９７】
また、会員カードへの入金又は一般カードの排出によって遊技媒体貸出機の残高を払い戻しているが、遊技媒体貸出機が現金の払い戻しを行うことが可能な場合は、現金による払い戻しを行ってもよい。
【００９８】
このように本実施例では、会員カードや一般カードを介することなく、遊技台の台間などに設けられている遊技媒体貸出機でデビット決済による遊技媒体の貸し出しを受けることが可能であり、このデビット決済による販売情報を遊技店のＴ／Ｃでリアルタイムに管理し、決算センターから遊技店の口座に振り込まれる金銭の額を遊技店で常時把握することができる。
【図面の簡単な説明】
【００９９】
【図１】本発明における遊技媒体貸出システムの構成の一例を示す概略構成図
【図２】実施例１におけるカード発行機の構成を示す機能ブロック図
【図３】実施例１におけるターミナルコントローラの構成を示す機能ブロック図
【図４】デビット決済による手数料を算出する際の設定の一例を示す図
【図５】取引データの検索結果を分析クライアントに表示する際の一例を示す図
【図６】締め上げデータの検索結果を分析クライアントに表示する際の一例を示す図
【図７】一般カードの販売や会員カードへの入金時の遊技媒体貸出システムにおける処理の流れを示すフローチャート
【図８】実施例２における遊技媒体貸出機の構成を示す機能ブロック図
【図９】遊技媒体貸出機に入金する際の遊技媒体貸出システムにおける処理の流れを示すフローチャート
【図１０】残高を払い戻す際の遊技媒体貸出システムにおける処理の流れを示すフローチャート
【符号の説明】
【０１００】
１…遊技店
２…公衆回線網
３…決済センター
４…中央管理装置
１０…カード発行機
１１…一般／会員カード処理部
１２…発行機制御部
１３…記憶部
１４…表示・入力部
１５…印字部
１６…Ｉ／Ｆ
１７…一般／会員カード挿入・排出口
１８…レシート発行口
１９…出力部
２０…カード精算機
３０…Ｔ／Ｃ
３１…ルータ
３２…Ｉ／Ｆ
３３…カード情報管理装置
４０…ルータ
５０…遊技媒体貸出機
５１…一般／会員カード処理部
５２…カード収納部
５３…貸出機処理部
５４…記憶部
５５…表示部
５６…入力部
５７…Ｉ／Ｆ
５８…遊技台接続Ｉ／Ｆ
６０…遊技機
７０…島コントローラ
８０…デビット決済部
８１…デビットカード処理部
８２…デビット制御部
８３…暗証情報入力部
８４…デビットカード挿入・排出口
９０…デビットカード
９１…一般カード
９２…会員カード
９３…レシート
１００…サーバ
１０１…手数料算出部
１０２…データベース
１１０…分析クライアント
１１１…蓄積データ参照処理部
１１２…表示部
【図１】
2007041779.tif 000003
【図２】
2007041779.tif 000004
【図３】
2007041779.tif 000005
【図４】
2007041779.tif 000006
【図５】
2007041779.tif 000007
【図６】
2007041779.tif 000008
【図７】
2007041779.tif 000009
【図８】
2007041779.tif 000010
【図９】
2007041779.tif 000011
【図１０】
2007041779.tif 000012